(57)【要約】【課題】この考案は、泡立てが容易で、且つ、泡の保有力にも優れ、しかもタオルに保有された泡を落とすのも容易な入浴用泡立てタオルを提供する。【解決手段】タオル幅を一定の幅に分け、該単位幅に配列される横糸をジグザグに配列しながら、横糸の外辺及び連結部を軽編糸で構成されるタオルにおいて、前記軽編糸のうち、全部又は一部に引き伸ばされたゴム糸を挿入し、タオル地に一軸伸長率８０〜１５０％の伸長性を付与する。【選択図】        図２
0003103857.tif 000002
【実用新案登録請求の範囲】
【請求項１】
タオル幅を一定の幅に分け、該単位幅に配列される横糸をジグザグに配列しながら、横糸の外辺及び連結部を軽編糸で構成されるタオルにおいて、前記軽編糸のうち、全部又は一部に引き伸ばされたゴム糸を挿入し、タオル地に一軸伸長率８０〜１５０％の伸長性を付与することを特徴とする入浴用泡立てタオル。
【請求項２】
同時に単位幅に配列される横糸は、上部ウエ−ブ編成横糸と下部ウエ−ブ編成横糸に区分して供給するが、一軸の横糸をジグザグに配列してタオル地を編成する間、他の一本の横糸でジグザグ上部に二つのル−プを編成してタオル地の収縮時にジグザグ部分が均一なウエ−ブで上下に隆起するようにした請求項１記載の入浴用泡立てタオル。
【考案の詳細な説明】
【技術分野】
【０００１】この考案は、泡立てが容易で、且つ、泡の保有力にも優れ、しかもタオルに保有された泡を落とすのも容易な入浴用泡立てタオルに関する。
【背景技術】
【０００２】従来、伸縮状態になるような張力をかけた場合にも布帛の凹凸の消失することなく入浴タオルとしての泡立ち効果を保持しようとする入浴用泡立てタオルは存在する。（例えば、特許文献１）更に、網組織によって空隙部を多くすることによって泡立ちをよくするあかすりタオルとしたものもある。（例えば、特許文献２）【０００２】
【特許文献１】実公平３−３７４８８号
【特許文献２】実用新案登録第３０７１６１９号
【考案の開示】
【考案が解決しようとする課題】
【０００３】従来、上記特許文献１のような入浴用泡立てタオルでは、メリヤス地を重ねた一定幅のタオル地に、細かな皺と、ウエ−ブ又はル−プを裁縫で作り、両端をオ−バ−ロックで仕上げたもので、長時間張力を加えた場合にもタオル地の凹凸がなくならず、希望するような泡立ちを得られるようなタオル地となってはいるが、これは布の裁断、熟練工によるウエ−ブの編成及び端部のオ−バ−ロック工程等、製造工程が複雑で製造コストがかかり、生産効率が悪い欠点があった。【０００４】更に、上記特許文献２のようなあかすりタオルでは、長期の使用によって空隙率が低くなり、次第に効果的なあかすりができなくなる傾向がある。
【課題を解決するための手段】
【０００５】上記の課題を解決するために、タオル幅を一定の幅に分け、該単位幅に配列される横糸をジグザグに配列しながら、横糸の外辺及び連結部を軽編糸で構成されるタオルにおいて、前記軽編糸のうち、全部又は一部に引き伸ばされたゴム糸を挿入し、タオル地に一軸伸長率８０〜１５０％の伸長性を付与したものである。【０００６】更に、同時に単位幅に配列される横糸は、上部ウエ−ブ編成横糸と下部ウエ−ブ編成横糸に区分して供給するが、一軸の横糸をジグザグに配列してタオル地を編成する間、他の一本の横糸でジグザグ上部に二つのル−プを編成してタオル地の収縮時にジグザグ部分が均一なウエ−ブで上下に隆起するようにした。
【考案の効果】
【０００７】この考案は、タオル幅を一定の幅に分け、該単位幅に配列される横糸をジグザグに配列しながら、横糸の外辺及び連結部を軽編糸で構成されるタオルにおいて、前記軽編糸のうち、全部又は一部に引き伸ばされたゴム糸を挿入し、タオル地に一軸伸長率８０〜１５０％の伸長性を付与してあるので、ウエ−ブが均一で、弾性が柔らかく、すぐれた入浴用泡立てタオルを得られ、タオルの収縮時には長さが短く且つ厚く、摩擦時にはタオルを集めて握り使用し易く、伸長率が１００％以上であるため、両手で伸ばして使用する際にも便利であり、石鹸の泡を迅速に発生させるのはもちろんであるが、泡の保有力が高く、石鹸の泡を落とすのも容易で、入浴時間を短縮し、且つ入浴用の湯を節約することができる。
特に、肌の摩擦感が爽快で、繰り返し使用した場合にでも品質の変化もなく、裁縫糸により肌に刺激があり、従来のこの種の入浴用タオルと較べても肌への摩擦感度が格段に優れている。
【考案を実施するための最良の形態】
【０００８】タオル幅を一定の幅に分け、該単位幅に配列される横糸をジグザグに配列しながら、横糸の外辺及び連結部を軽編糸で構成されるタオルにおいて、前記軽編糸のうち、全部又は一部に引き伸ばされたゴム糸を挿入し、タオル地に一軸伸長率８０〜１５０％の伸長性を付与した入浴用泡立てタオルである。
【実施例１】
【０００９】タオル幅を一定の幅ｗで分け、該単位幅に配列される横糸をジグザグに配列しながら、横糸の外辺１及び連結部２を軽編糸３で構成されるタオルにおいて、前記軽編糸３のうち、全部又は一部に引き伸ばされたゴム糸４を挿入し、同時に単位幅ｗに配列される横糸は、上部ウエ−ブ編成横糸８と下部ウエ−ブ編成横糸５に区分して供給するが、一軸の横糸をジグザグ６に配列してタオル地７を編成する間、他の一本の横糸でジグザグ６上部に二つのループ１０を編成し、タオル地に一軸伸長率８０〜１５０％の伸長性を与えると同時に、ジグザグ６部分が均一なウエーブとして隆起するように入浴用泡立てタオルとしたものである。
【実施例２】
【００１０】本考案の入浴用泡立てタオルの製造方法について以下説明する。
タオル幅を２１０ｍｍ、ジグザク横糸の単位幅を２１０／３ｍｍとし、タオル編み機に供給される軽編糸３はゴム糸の挿入部にポリエステル、横糸の連結部にポリエステルトレッチ、タオル７の外辺に熱可塑性ポリエチレンからなる軽編糸３を供給し、ポリエステル軽編糸３ごとに１００％に伸長させたゴム糸４を供給し、各単位幅ｗごとに上部ウエ−ブ、横糸８及び下部ウエーブ横糸５を供給し、一軸の横糸をジグザグ６に配列し、タオル地７を編成する間、他の一本の横糸でジグザグ６の外辺に二つのル−プ１が編成されるようにタオル編み機を制御し、一軸伸長率１００％の伸長性を与えると同時に、ジグザグ６部分が均一なウエ−ブで隆起するタオル地７を編成する。【００１１】編成されるタオル地７地を、凹凸のゴム治具と外面に編成した駆動ロ−ルと案内ロ−ルを備えて２０ｃｍ／秒の速度で駆動するタオル引取機で引き抜く。引き抜かれたタオル地７を二つの案内ロ−ルによって供給される熱風加熱機に送りながら４０〜７０°℃の熱風で通過せしめたタオルをタオル切断機で切断し、２分３０秒毎に長さ５０ｃｍの入浴用泡立てタオルを得たものである。【００１２】この入浴用泡立てタオル７は、ラッセル経編機を使用して、凹凸を付与することによってタオル地に厚みを付け、美しい横縞模様を出せるようにしてあり、使用する糸は、ゴム等の伸縮糸を使用し、経糸にはナイロンなどのフィラメント数の多い軟らかな糸を使用する。入浴用泡立てタオルの柄模様に使用するオサは二枚以上で柄模様が構成されるように組み、柄模様のオサ二枚で組むときは、一枚が働いているときに一枚が遊んでいるように組む。前のオサと後のオサが完全に入れ替わるようにチェインを組むこととする。即ち、一枚目が働き、そして二枚目が働く、その時の交替時に、前のオサの分が山部１１、後のオサの分が谷部１２となり、連続する山部１１と谷部１２とは無負荷の状態にあっては、図３に示したように谷部１２に空気層を抱く構造であるが、図３の矢印方向に牽引することによっ手図４に示すような谷部１２が伸長することになり、泡切れが良好となる。タオル地７を長手状に形成する場合には、図５のように、長手状のタオル７に対して山部１１と谷部１２とが横断状に交互に形成されるようにすれば大きな伸縮性が付与され便利である。
【産業上の利用可能性】
【００１３】タオル編み機にて、ウエ−ブと８０〜１５０％の一軸の伸長性を有するような入浴用泡立てタオルとすることによって、肌の摩擦感が爽快で、繰り返し使用した場合にでも品質の変化もなく、裁縫糸により肌に刺激を与える入浴用タオルが得られるので、タオルの収縮時には長さが短く摩擦時にはタオルを集めて握り使用し易く、逆に両手で伸ばして使用する際にも便利であり、石鹸の泡を迅速に発生させるのはもちろんであるが、泡の保有力が高く、石鹸の泡を落とすのも容易で、入浴時間を短縮し、且つ入浴用の湯を節約することができ、極めて産業上有益である。
入浴用泡立てタオルは、平行に凹凸を交互に有し、入浴用泡立てタオルに厚みがでて、山部と谷部との間に多くの空隙部が形成されるため、この入浴用泡立てタオルを入浴時に使用した場合、石鹸の泡立ちが飛躍的によくなり、石鹸の節約となる。しかも、山部と谷部とが明確に大きく表れるので非常に美しい外観を備えることになり、入浴が楽しくなる等産業上広く使用されることになる。
【図面の簡単な説明】
【図１】本考案の入浴用泡立てタオルの組織拡大図
【図２】本考案の入浴用泡立てタオルの組織拡大平面図
【図３】タオル地の凹凸状態を示す一部拡大断面図
【図４】タオル地の凹凸部を伸長状態で示した断面図
【図５】一部を省略したタオル地の平面図
【符号の説明】
１．．．．外辺
２．．．．連結部
３．．．．軽編糸
４．．．  ゴム糸
５．．．．下部ウエ−ブ編成横糸
６．．．．ジグザグ
７．．．．タオル地７
８．．．．上部ウエ−ブ編成横糸
１０．．．ループ
１１．．．山部
１２．．．谷部
【図１】
0003103857.tif 000003
【図２】
0003103857.tif 000004
【図３】
0003103857.tif 000005
【図４】
0003103857.tif 000006
【図５】
0003103857.tif 000007